(57)【要約】【課題】熱による基板の湾曲を抑制可能な照明装置を提供する。【解決手段】ＬＥＤ２２と、ＬＥＤ２２が実装されたＬＥＤ基板２４と、ＬＥＤ２２からの光が入射される光入射面５０Ｄ及び、光入射面５０Ｄから入射された光を出射させる光出射面５０Ａを有する導光板５０と、導光板５０における光出射面５０Ａとは反対側の面である底面５０Ｂとの間でＬＥＤ基板２４を当該ＬＥＤ基板２４の板厚方向から挟持するためのフロントシャーシ１６と、を備えていることを特徴とする。【選択図】図３
2012028077.tif 000002
【特許請求の範囲】
【請求項１】
光源と、
前記光源が実装された基板と、
前記光源からの光が入射される光入射面及び、前記光入射面から入射された光を出射させる光出射面を有する導光板と、
前記導光板との間で前記基板を当該基板の板厚方向から挟持する基板挟持部材と、を備えていることを特徴とする照明装置。
【請求項２】
前記基板は、前記導光板における前記光出射面とは反対側の面である底面と、前記基板挟持部材によって、前記基板の板厚方向から挟持されており、
前記光入射面は、前記導光板の側面であって、前記光源と対向する形で前記底面に対して傾斜していることを特徴とする請求項１に記載の照明装置。
【請求項３】
前記光源は、前記光入射面の延設方向に沿って、複数個配列されていることを特徴とする請求項１又は請求項２に記載の照明装置。
【請求項４】
前記光入射面は、前記導光板の前記光出射面の一辺方向における両側の側面にそれぞれ設けられ、
前記光入射面の各々に対向する形で、前記基板がそれぞれ配されていることを特徴とする請求項１から請求項３のいずれか１項に記載の照明装置。
【請求項５】
前記導光板における前記光出射面と反対側の面には、前記光源からの光を前記光出射面側へ反射させる光反射部が設けられていることを特徴とする請求項１から請求項４のいずれか１項に記載の照明装置。
【請求項６】
前記光源は、発光ダイオードであることを特徴とする請求項１から請求項５のいずれか１項に記載の照明装置。
【請求項７】
請求項１から請求項６のいずれか１項に記載の照明装置と、
前記照明装置からの光を利用して表示を行う表示パネルと、を備えることを特徴とする表示装置。
【請求項８】
前記表示パネルが液晶を用いた液晶パネルであることを特徴とする請求項７に記載の表示装置。
【請求項９】
請求項７又は請求項８に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
近年、画像表示装置の表示素子としては、液晶パネルやプラズマディスプレイパネルなどの薄型表示素子が用いられ、画像表示装置の薄型化を可能としている。表示素子として液晶パネルを用いた場合、液晶パネルは自発光しないため、別途に照明装置（バックライト装置）を必要としている。
【０００３】
照明装置の一例として下記特許文献１に記載されたものが知られている。この照明装置は、光源（例えば、ＬＥＤなどの発光素子）と、光源からの光を液晶パネルの表示面に向けて出射させる導光板とを備える。より具体的に説明すると、光源は、その出射光が導光板の光入射面に向かう形で配されており、光入射面から入射した光は、導光板内で全反射を繰り返すことで導光され、光出射面から出射される。また、このような光源は基板に実装されており、基板は、その複数個所において、ビスなどで照明装置に取り付けられている。
【先行技術文献】
【特許文献】
【０００４】
【特許文献１】特開２００２−４２５０２号公報
【発明の概要】
【発明が解決しようとする課題】
【０００５】
ところで、発光素子駆動時に発生する熱などによって、基板が熱膨張する場合がある。上記のような基板の複数個所をビスによって固定した構成においては、ビスの取付箇所では、基板の変位が拘束される。このため、熱膨張によって、基板が板面方向に延びた場合、基板において取付箇所以外の部分（変位が許容されている部分）が湾曲し、全体として蛇行する形で変形するおそれがある。このように基板が部分的に湾曲すると、基板に実装された光源と、導光板との位置関係が変化してしまい、導光板から出射される光において輝度ムラが発生する原因となる。
【０００６】
本発明は上記のような事情に基づいて完成されたものであって、熱によって基板が湾曲する事態を抑制可能な照明装置を提供することを目的とする。また、このような照明装置を備えた表示装置、及びテレビ受信装置を提供することを目的とする。
【課題を解決するための手段】
【０００７】
上記課題を解決するために、本発明の照明装置は、光源と、前記光源が実装された基板と、前記光源からの光が入射される光入射面及び、前記光入射面から入射された光を出射させる光出射面を有する導光板と、前記導光板との間で前記基板を当該基板の板厚方向から挟持する基板挟持部材と、を備えていることに特徴を有する。
【０００８】
本発明においては、導光板と基板挟持部材によって基板を挟持する構成となっている。このため、ビスなどの保持手段を用いることなく基板を保持することができ、基板保持に係るコストを低減できる。そして、基板は、その板厚方向から挟持されている。このため、基板が熱によって膨張した場合に、板面方向（板厚方向と交差する方向）における基板の延びが規制されることがない。これにより、熱によって基板が湾曲する事態を抑制できる。なお、一般的に基板は、板厚よりも板面方向の長さが大きい形状とされる。このため、基板が熱膨張した場合、板面方向に比べて、板厚方向の延びは小さくなる。そこで、本発明では、板厚方向において基板を挟持する構成とした。
【０００９】
上記構成において、前記基板は、前記導光板における前記光出射面とは反対側の面である底面と、前記基板挟持部材によって、前記基板の板厚方向から挟持されており、前記光入射面は、前記導光板の側面であって、前記光源と対向する形で前記底面に対して傾斜しているものとすることができる。
【００１０】
基板挟持部材と導光板の底面によって基板を挟持することで、より確実に基板を挟持することができる。また、光入射面は、光源と対向する形で導光板の底面に対して傾斜している。このため、導光板の底面によって基板を挟持する構成としつつも、光源からの光を光入射面に入射させることができる。
【００１１】
また、前記光源は、前記光入射面の延設方向に沿って、複数個配列されているものとすることができる。
【００１２】
このような構成とすれば、光入射面の延設方向に沿った複数の光源を個別に点灯させることで、導光板の同方向における輝度分布を制御することができる。また、複数の光源が基板に実装されている場合には、基板が湾曲すると、各光源と光入射面との対向間隔が変化してしまい、光源の配列方向において、導光板からの出射光に輝度ムラが発生する事態が懸念される。この点、本発明においては、基板が湾曲する事態を抑制できるため、複数の光源が配された構成において特に好適である。
【００１３】
また、前記光入射面は、前記導光板の前記光出射面の一辺方向における両側の側面にそれぞれ設けられ、前記光入射面の各々に対向する形で、前記基板がそれぞれ配されているものとすることができる。
【００１４】
仮に、導光板の光出射面の一辺方向における一端部のみから、光を入射させる構成の場合、光出射面の一辺方向における他端部において、相対的に輝度が低くなり輝度ムラとなる事態が懸念される。この点、本発明の構成においては、導光板の光出射面の一辺方向における両側から、それぞれ光を入射させることができるから、他端部において輝度が低くなる事態を抑制できる。
【００１５】
また、前記導光板における前記光出射面と反対側の面には、前記光源からの光を前記光出射面側へ反射させる光反射部が設けられているものとすることができる。
【００１６】
このような構成とすれば、導光板から、光反射部側へ出射された光を、再度光出射面側へ反射させることができ、光の利用効率を高くすることができる。
【００１７】
また、前記光源としては、発光ダイオードを例示することができる。発光ダイオードを使用することで消費電力を抑えることができる。
【００１８】
次に、上記課題を解決するために、本発明の表示装置は、上述した照明装置と、前記照明装置からの光を利用して表示を行う表示パネルと、を備えることを特徴とする。
【００１９】
また、前記表示パネルとしては液晶パネルを例示することができる。このような表示装置は液晶表示装置として、種々の用途、例えばテレビやパソコンのデスクトップ画面等に適用でき、特に大型画面用として好適である。
【００２０】
次に、上記課題を解決するために、本発明のテレビ受信装置は、上記表示装置を備えることを特徴とする。
【発明の効果】
【００２１】
本発明によれば、熱によって基板が湾曲する事態を抑制可能な照明装置と、このような照明装置を備えた表示装置、テレビ受信装置を提供することが可能となる。
【図面の簡単な説明】
【００２２】
【図１】本発明の実施形態１に係るテレビ受信装置の概略構成を示す分解斜視図。
【図２】図１のテレビ受信装置が備える液晶表示装置の概略構成を示す分解斜視図。
【図３】液晶表示装置の長辺方向に沿った断面構成を示す断面図。
【図４】図２のバックライト装置を示す平面図。
【図５】本発明の実施形態２に係る液晶表示装置の概略構成を示す分解斜視図。
【図６】図５の液晶表示装置の短辺方向に沿った断面構成を示す断面図。
【発明を実施するための形態】
【００２３】
＜実施形態１＞
本発明の実施形態１を図１ないし図４によって説明する。なお、各図面の一部にはＸ軸、Ｙ軸及びＺ軸が描かれており、各軸方向が各図面で共通した方向となるように描かれている。また、図３に示す上側を表側とし、同図下側を裏側とする。
【００２４】
本実施形態に係るテレビ受信装置ＴＶは、図１に示すように、テレビ受信装置ＴＶは、液晶表示装置１０と、当該液晶表示装置１０を挟む形で収容する表裏両キャビネットＣａ，Ｃｂと、電源Ｐと、チューナーＴと、スタンドＳと、を備えている。
【００２５】
図２に、液晶表示装置１０の分解斜視図を示す。図２に示すように、液晶表示装置１０は、全体として横長の方形をなし、表示パネルである液晶パネル１２と、外部光源であるバックライト装置３４と、を備え、これらが枠状をなすベゼル１４などにより一体的に保持されるようになっている。
【００２６】
図２に示すように、液晶パネル１２は、平面視矩形状をなしており、その長辺方向が水平方向（Ｘ軸方向）と一致し、短辺方向が鉛直方向（Ｙ軸方向）と一致する形で配される。液晶パネル１２は、透明な（高い透光性を有する）一対のガラス基板が所定のギャップを隔てた状態で貼り合わせられるとともに、両ガラス基板間に液晶層（図示しない）が封入された構成とされる。
【００２７】
一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、制御基板１３から画像を表示するのに必要な画像データや各種制御信号が供給されるようになっている。なお、両ガラス基板の外側には偏光板（図示しない）が配されている。
【００２８】
次に、バックライト装置３４の構成について説明する。図２に示すように、バックライト装置３４は、バックライトシャーシ３２と、一対のフロントシャーシ１６とから構成される収容部材１５を備え、収容部材１５には、ＬＥＤユニット２６、導光板５０、光学部材１８とが収容されている。本実施形態に係るバックライト装置３４は、導光板５０が液晶パネル１２の直下に配されていると共にＬＥＤ２２（光源）が導光板５０の側端部に配されてなる、いわゆるエッジライト方式（サイドライト方式）を採用している。
【００２９】
バックライトシャーシ３２は、表側（光出射側、液晶パネル１２側）に開口した略箱型をなしている。バックライトシャーシ３２は、例えばアルミ系材料などの金属製とされ、平面視矩形状をなす底板３２ａと、底板３２ａの両長辺および両短辺の各外縁からそれぞれ表側へ立ち上がる側板３２ｂ，３２ｃと、から構成されている。底板３２ａは、その長辺方向が水平方向（Ｘ軸方向）と一致し、短辺方向が鉛直方向（Ｙ軸方向）と一致している。底板３２ａの裏側には、ＬＥＤユニット２６に電力を供給する電源回路基板等（図示せず）が取り付けられている。
【００３０】
フロントシャーシ１６（基板挟持部材）は、液晶表示装置１０における短辺方向（Ｙ軸方向）に長い形状をなしており、バックライトシャーシ３２の長辺方向における両端部にそれぞれ配されている。フロントシャーシ１６は、収容部材１５の内側へ向かって開口する略Ｕ字状をなしており、その内部にＬＥＤユニット２６が収容される。また、フロントシャーシ１６は、図３に示すように導光板５０の長辺方向における側端部にそれぞれ嵌合する形で配されている。
【００３１】
光学部材１８は、図２に示すように、液晶パネル１２及び収容部材１５と同様に平面視矩形状をなしており、バックライトシャーシ３２の開口部を覆うようにして配されている。より具体的には、光学部材１８は、図３に示すように、導光板５０の光出射面５０Ａを覆う形で導光板５０に載置されており、液晶パネル１２と導光板５０との間に介在されている。
【００３２】
光学部材１８は、裏側（導光板５０側、光出射側とは反対側）に配される拡散板１８ａと、表側（液晶パネル１２側、光出射側）に配される光学シート１８ｂとから構成される。拡散板１８ａは、所定の厚みを持つほぼ透明な樹脂製の基材内に拡散粒子を多数分散して設けた構成とされ、透過する光を拡散させる機能を有する。光学シート１８ｂは、３枚が積層して配されており、各光学シート１８ｂがシート状をなしている（図２及び図３）。
【００３３】
各光学シート１８ｂは、例えば、拡散板１８ａと比べると板厚が薄く設定されるが、これに限定されるものではない。なお、図３では、拡散板１８ａの厚さと各光学シート１８ｂの厚さは、ほぼ同じで図示してある。具体的な光学シート１８ｂの種類としては、例えば拡散シート、レンズシート、反射型偏光シートなどがあり、これらの中から適宜に選択して使用することが可能である。
【００３４】
また、フロントシャーシ１６の上部における内側端部には、図３に示すように、段差部１７が形成されており、その段差部１７には、液晶パネル１２の周縁部が載置されている。これにより、光学部材１８と液晶パネル１２とが平面視において重畳して配され、導光板５０から出射された光が、光学部材１８を経由して、液晶パネル１２の裏側に照射される構成となっている。
【００３５】
ＬＥＤユニット２６は、図２に示すように、Ｙ軸方向に沿って延びる矩形状をなすＬＥＤ基板２４（基板）に、白色発光するＬＥＤ２２（Light Emitting Diode：発光ダイオード）を直線状に複数個配列することで構成されている。
【００３６】
図３に示すように、ＬＥＤ基板２４に実装された各ＬＥＤ２２は、平面視円形状をなし、その光軸ＬＡが、液晶パネル１２の表示面又は導光板５０の光出射面５０Ａと直交する方向（Ｚ軸方向）に沿って配されている。また、各ＬＥＤ２２は、その光軸ＬＡが、ＬＥＤ基板２４の板面方向（Ｘ軸及びＹ軸方向、図３では左右方向）と直交する形で配されている。ＬＥＤ２２の発光面２２Ａは、導光板５０の側面（光入射面５０Ｄ）を向く形で配されている。なお、ＬＥＤ２２の光軸ＬＡの向き及び発光面２２Ａの向きは、適宜変更可能であって、光入射面５０Ｄに対して、ＬＥＤ２２からの出射光が入射可能な形で、各ＬＥＤ２２が配されていればよい。
【００３７】
なお、ＬＥＤ２２の発光面２２Ａから発せられる光は、光軸ＬＡを中心にして所定の角度範囲内で三次元的にある程度放射状に広がるのであるが、その指向性は、例えば冷陰極管などと比べると高くなっている。つまり、ＬＥＤ２２の発光強度は、光軸ＬＡに沿った方向が際立って高く、光軸ＬＡに対する傾き角度が大きくなるに連れて急激に低下するような傾向の角度分布を示す。
【００３８】
ＬＥＤ２２は、例えば、発光素子である複数のＬＥＤチップを樹脂材などでハウジング内に封止した構成とされる。このＬＥＤ２２は、例えば、主発光波長の異なる３種類のＬＥＤチップを内蔵しており、具体的には各ＬＥＤチップがＲ（赤色）、Ｇ（緑色）、Ｂ（青色）を単色発光するようになっている。
【００３９】
なお、ＬＥＤ２２の構成は、この構成に限定されず、他の構成であってもよい。例えば、ＬＥＤ２２は、Ｂ（青色）を単色発光するＬＥＤチップを内蔵し、Ｒ（赤色）の領域に発光ピークを持つ蛍光体及び、Ｇ（緑色）の領域に発光ピークを持つ蛍光体とが混入された樹脂（例えばシリコン系樹脂）で、そのＬＥＤチップを覆った構成であってもよい。また、ＬＥＤ２２は、Ｂ（青色）を単色発光するＬＥＤチップを内蔵し、ＹＡＧ蛍光体などの黄色を発光する蛍光体が混入された樹脂（例えばシリコン系樹脂）で、そのＬＥＤチップを覆った構成であってもよい。
【００４０】
ＬＥＤ基板２４は、表側の面が光の反射性に優れた白色を呈する合成樹脂製とされている。ＬＥＤ基板２４は、図４に示すように、Ｙ軸方向に長い矩形板状をなし、その長辺寸法は、底板３２ａの短辺寸法より、わずかに小さい値で設定されている。言い換えると、ＬＥＤ基板２４の長辺方向における両端と、側板３２ｂとは、それぞれ隙間Ｙ１を空けて配されている。これにより、ＬＥＤ基板２４が熱膨張した場合に、長辺方向における延びが規制されることがなく、ＬＥＤ基板２４が湾曲する事態を抑制できる。なお、図４に示す各隙間Ｙ１の長さは各々異なる値で設定されていてもよい。
【００４１】
ＬＥＤ基板２４には、金属膜からなる配線パターン（不図示）が形成されている。複数のＬＥＤ２２は、この配線パターンと電気的に接続される形でＬＥＤ基板２４に実装されている。このＬＥＤ基板２４には、図示しない制御基板が電気的に接続されており、そこからＬＥＤ２２の点灯に必要な電力が供給されるとともに、各ＬＥＤ２２を個別に駆動制御することが可能となっている。
【００４２】
導光板５０は、平面視方形状の板状部材とされ、バックライトシャーシ３２の長辺方向（Ｘ軸方向）に長い形状をなす。導光板５０は、アクリル等の透光性の大きい（透明度の高い）樹脂により形成されている。導光板５０は、図２に示すように、主板面（光出射面５０Ａ）を液晶パネル１２側に向けて配されている。
【００４３】
上述した各ＬＥＤユニット２６（ＬＥＤ基板２４）は、導光板５０の光出射面５０Ａの長辺方向（Ｘ軸方向）における両側の側面にそれぞれ対向する形で配されている。つまり、導光板５０の光出射面５０Ａの長辺方向（Ｘ軸方向）における両側の側面は、各ＬＥＤユニット２６から出射された光が入射される光入射面５０Ｄとされる。なお、導光板５０は例えばビス（図示しない）などによってバックライトシャーシ３２に取り付けられる。また、導光板５０は、平面視方形状に限定されず、それ以外の形状であってもよい。
【００４４】
また、導光板５０の側面のうち、導光板５０の短辺方向（Ｙ軸方向）両側の側面５０Ｅにおいて、長辺方向における中央部には、外側に突出する突部５２が形成されている。一方、バックライトシャーシ３２の側板３２ｂには、突部５２をＸ軸方向における両側から挟む形で、平行をなして対向する一対のリブ３３が形成されている。両リブ３３間に導光板５０の突部５２が嵌合されることによって、導光板５０がバックライトシャーシ３２に対して、バックライトシャーシ３２の板面方向（Ｘ軸方向及びＹ軸方向）において保持される構成となっている。
【００４５】
導光板５０における底面５０Ｂ（光出射面５０Ａとは反対側の面）には、散乱反射部（図示せず）が形成されている。散乱反射部は、例えば、白色を呈するドットパターンによって構成され、光を散乱反射させる機能を担っている。このため、散乱反射部にて散乱反射されて光出射面５０Ａに向かう光には、光出射面５０Ａに対する入射角が臨界角を超えない光（全反射されない光）が生じ、もって光を光出射面５０Ａから、液晶パネル１２側へと出射させることが可能とされる。
【００４６】
このような散乱反射部は、例えば平面視円形状をなす複数のドットをジグザグ状（千鳥状、互い違い状）に配置することで構成されている。各ドットは、例えば金属酸化物が含有されたペーストを導光板５０の底面５０Ｂに印刷することで形成される。なお、当該印刷手段としては、スクリーン印刷、インクジェット印刷等が好適である。
【００４７】
ＬＥＤ基板２４は、図３に示すように、フロントシャーシ１６（基板挟持部材）における下側内周面１６Ａに配されている。具体的には、ＬＥＤ基板２４の板面が下側内周面１６Ａ及び導光板５０の底面５０Ｂに沿う形で配されている。そして、ＬＥＤ基板２４は、導光板５０の底面５０Ｂと、フロントシャーシ１６の下側内周面１６Ａによって、ＬＥＤ基板２４の板厚方向（図３の上下方向）から挟持されている。なお、ここでいう「挟持」とは、２つの部材（導光板５０及びフロントシャーシ１６）によってＬＥＤ基板２４が挟まれた形で保持されていることを言い、例えば、導光板５０の底面５０ＢとＬＥＤ基板２４との間に他の部材が介在されていてもよい。
【００４８】
より具体的に説明すると、図４に示すように、導光板５０の底面５０Ｂ（より正確には底面５０Ｂの端部）と、フロントシャーシ１６の下側内周面１６Ａとは、ＬＥＤ基板２４におけるバックライトシャーシ３２内側の縁部をＬＥＤ基板２４の長辺方向の全長に渡って挟持する構成となっている。そして、各ＬＥＤ２２はＬＥＤ基板２４におけるバックライトシャーシ３２外側の縁部寄りの位置（導光板５０の底面５０Ｂと重畳されていない位置）に配されている。
【００４９】
光入射面５０Ｄは、各ＬＥＤ２２と対向する形で、底面５０Ｂに対して傾斜している。本実施形態では、光入射面５０Ｄは底面５０Ｂに対して、表側（図３の上側）に４５度傾斜している。なお、光入射面５０Ｄの底面５０Ｂに対する傾斜角度は、４５度に限定されない。光入射面５０Ｄは、各ＬＥＤ２２からの出射光が入射可能となる角度で傾斜していればよく、その傾斜角度は適宜変更可能である。また、各ＬＥＤ２２は、光入射面５０Ｄの延設方向（Ｙ軸方向）に沿って、複数個配列されている。
【００５０】
以上の構成によって、各ＬＥＤ２２の発光面２２Ａから出射された光は、導光板５０の光入射面５０Ｄから、導光板５０内に入射される。その後、全反射によって導光板５０内で導光され（主に導光板５０の板面方向（図３ではＸ軸方向）に沿って導光される）、散乱反射部にて散乱反射されることで、光出射面５０Ａから出射される（このような光の一例を図３の矢線Ｌ１で示す）。そして、光出射面５０Ａからの出射光は、光学部材１８を経由した後、液晶パネル１２の背面側に照射される。
【００５１】
また、導光板５０の底面５０Ｂを覆う形で、光反射部３０が設けられている。光反射部３０は、導光板５０における底面５０Ｂのほぼ全域及び、ＬＥＤユニット２６を裏側から覆う形で配されている。光反射部３０は、例えば表面が光の反射性に優れた白色を呈するものとされる。
【００５２】
この光反射部３０によって、導光板５０から光反射部３０側へ出射された光を、再度光出射面５０Ａ側へ反射させることができ、光の利用効率を高くすることができる。なお、このような光反射部３０としては、例えば光の反射性に優れた白色を呈する合成樹脂製の光反射シートを、底面５０Ｂに貼り付けることで形成される。なお、光反射部３０は、光反射シートに限定されるものではなく、光を反射する機能を備えているものであればよい。例えば光反射性に優れた塗料（白色塗料など）を塗布することで光反射部３０を形成してもよい。
【００５３】
また、フロントシャーシ１６の内周面において、光出射面５０Ａ側の面（上面）及び側面には、光反射部３０と同様の構成である光反射部１６Ｂが設けられている。この光反射部１６Ｂによって、ＬＥＤ２２から光反射部１６Ｂ側へ出射された光を導光板５０側へ反射させることができ、光の利用効率を高くすることができる（このような光の一例を図３の矢線Ｌ２で示す）。
【００５４】
以上説明したように、本実施形態のバックライト装置３４は、ＬＥＤ２２と、ＬＥＤ２２が実装されたＬＥＤ基板２４と、ＬＥＤ２２からの光が入射される光入射面５０Ｄ及び、光入射面５０Ｄから入射された光を出射させる光出射面５０Ａを有する導光板５０と、導光板５０との間でＬＥＤ基板２４を当該ＬＥＤ基板２４の板厚方向から挟持するフロントシャーシ１６と、を備えている。
【００５５】
本実施形態においては、導光板５０とフロントシャーシ１６によってＬＥＤ基板２４を挟持する構成となっている。このため、ビスなどの保持手段を用いることなくＬＥＤ基板２４を保持することができ、基板保持に係るコストを低減できる。そして、ＬＥＤ基板２４は、その板厚方向から挟持されている。このため、ＬＥＤ基板２４が熱によって膨張した場合に、板面方向におけるＬＥＤ基板２４の延びが規制されることがない。これにより、熱によってＬＥＤ基板２４が湾曲する事態を抑制できる。また、一般的にＬＥＤ基板２４は、板厚よりも板面方向の長さが大きい形状とされる。このため、ＬＥＤ基板２４が熱膨張した場合、板面方向に比べて、板厚方向の延びは小さくなる。そこで、本実施形態では、板厚方向における両側からＬＥＤ基板２４を挟持する構成とした。
【００５６】
上記構成において、ＬＥＤ基板２４は、導光板５０における光出射面５０Ａとは反対側の面である底面５０Ｂと、フロントシャーシ１６によって、ＬＥＤ基板２４の板厚方向から挟持されており、光入射面５０Ｄは、導光板５０の側面であって、ＬＥＤ２２と対向する形で底面５０Ｂに対して傾斜しているものとすることができる。
【００５７】
導光板５０の底面５０Ｂは、他の面と比べて面積が大きいため、フロントシャーシ１６と導光板５０の底面５０ＢによってＬＥＤ基板２４を挟持する構成とすれば、より確実にＬＥＤ基板２４を挟持することができる。また、光入射面５０Ｄは、ＬＥＤ２２と対向する形で導光板５０の底面５０Ｂに対して傾斜している。このため、導光板５０の底面５０Ｂによって基板を挟持する構成としつつも、ＬＥＤ２２からの光を光入射面５０Ｄに入射させることができる。
【００５８】
また、ＬＥＤ２２は、光入射面５０Ｄの延設方向に沿って、複数個配列されている。
【００５９】
このような構成とすれば、光入射面５０Ｄの延設方向に沿った複数のＬＥＤ２２を個別に点灯させることで、導光板５０の同方向における輝度分布を制御することができる。また、複数のＬＥＤ２２がＬＥＤ基板２４に実装されている場合には、ＬＥＤ基板２４が湾曲すると、各ＬＥＤ２２と光入射面５０Ｄとの対向間隔が変化してしまい、光入射面５０Ｄの延設方向に沿った方向において、導光板５０からの出射光に輝度ムラが発生する事態が懸念される。この点、本実施形態においては、ＬＥＤ基板２４が湾曲する事態を抑制できるため、複数のＬＥＤ２２が配された構成において特に好適である。
【００６０】
また、光入射面５０Ｄは、導光板５０の光出射面５０Ａの一辺方向における両側の側面にそれぞれ設けられ、光入射面５０Ｄの各々に対向する形で、ＬＥＤ基板２４がそれぞれ配されている。
【００６１】
仮に、導光板５０の光出射面５０Ａの一辺方向における一端部のみから、光を入射させる構成の場合、光出射面５０Ａの一辺方向における他端部（つまり、光源から遠い側）において、相対的に輝度が低くなり輝度ムラとなる事態が懸念される。この点、本実施形態の構成においては、導光板５０の光出射面５０Ａの一辺方向における両側から、それぞれ光を入射させることができるから、他端部において輝度が低くなる事態を抑制できる。
【００６２】
また、導光板５０における光出射面５０Ａと反対側の面（底面５０Ｂ）には、ＬＥＤ２２からの光を光出射面５０Ａ側へ反射させる光反射部３０が設けられている。
【００６３】
このような構成とすれば、導光板５０から、光反射部３０側へ出射された光を、再度光出射面５０Ａ側へ反射させることができ、光の利用効率を高くすることができる。
【００６４】
また、光源として、ＬＥＤ２２（発光ダイオード）を用いている。ＬＥＤ２２を使用することで消費電力を抑えることができる。
【００６５】
＜実施形態２＞
次に、本発明の実施形態２を図５ないし図６によって説明する。上記実施形態と同一部分には、同一符号を付して重複する説明を省略する。上記実施形態では、収容部材１５を構成するフロントシャーシ１６を基板挟持部材とした。これに対して、本実施形態の液晶表示装置１１０のバックライト装置１３４では、ＬＥＤユニット１２６が収容部材１１５を構成するバックライトシャーシ１３２に配されており、バックライトシャーシ１３２と導光板１５０とで、ＬＥＤ基板１２４を挟持する構成となっている。
【００６６】
つまり、本実施形態では、バックライトシャーシ１３２が基板挟持部材とされる。また、本実施形態のＬＥＤ基板１２４に実装された各ＬＥＤ１２２は、断面視方形状をなしている。また、本実施形態では、フロントシャーシ１１６は中央部分が開口された矩形枠状をなしている。
【００６７】
このように、バックライトシャーシ１３２と導光板１５０とで、ＬＥＤ基板１２４を挟持する構成とすれば、ビスなどの保持手段を用いることなくＬＥＤ基板１２４を保持することができ、基板保持に係るコストを低減できる。また、本実施形態においても板厚方向からＬＥＤ基板１２４を挟持しているため、熱膨張に起因してＬＥＤ基板１２４が湾曲する事態を抑制できる。
【００６８】
なお、本実施形態において、ＬＥＤ基板１２４は、バックライトシャーシ１３２の長辺方向に沿う形で配されており、導光板１５０の光入射面１５０Ｄは、導光板１５０の光出射面１５０Ａの短辺方向（Ｙ軸方向）における両側の側面とされる。また、導光板１５０の側面のうち、導光板１５０の長辺方向（Ｘ軸方向）両側の側面１５０Ｅにおいて、長辺方向における中央部には、外側に突出する突部５２が形成されている。この突部５２は、バックライトシャーシ１３２の側板３２ｃに形成された一対のリブ３３間に嵌合可能となっている。
【００６９】
また、バックライトシャーシ１３２の側板３２ｃの内側の面には、ＬＥＤ１２２の発光面１２２Ａから出射された光を導光板１５０の光入射面１５０Ｄ側に反射させるための、光反射部１１６Ｂが設けられている。この光反射部１１６Ｂは、上記実施形態の光反射部１６Ｂと同様の構成とされる。また光反射部１１６Ｂは、断面Ｌ字型をなすフロントシャーシ１１６の上部における内面にも設けられており、導光板１５０から当該光反射部１１６Ｂに到達した光を再度導光板１５０内に入射させることが可能となっている。
【００７０】
＜他の実施形態＞
本発明は上記記述及び図面によって説明した実施形態に限定されるものではなく、例えば次のような実施形態も本発明の技術的範囲に含まれる。
【００７１】
（１）上記実施形態では、基板挟持部材として、フロントシャーシ１６又はバックライトシャーシ１３２を例示したが、これに限定されない。基板挟持部材は、導光板との間にＬＥＤ基板を挟持可能な部材であればよい。
【００７２】
（２）上記実施形態では、導光板５０の側面のうち、対向する２つの側面にＬＥＤユニット２６をそれぞれ配する構成としたが、これに限定されない。例えば、導光板５０の側面のうち、１つの側面のみにＬＥＤユニット２６を配する構成としてもよい。また、導光板５０の側面全てにＬＥＤユニット２６をそれぞれ配する構成としてもよい。
【００７３】
（３）上記実施形態では、導光板５０の底面５０Ｂと基板挟持部材との間でＬＥＤ基板２４を挟持する構成としたが、これに限定されない。導光板５０における底面５０Ｂ以外の外面と、基板挟持部材との間でＬＥＤ基板２４を挟持する構成としてもよい。
【００７４】
（４）上記実施形態では、導光板５０と基板挟持部材とが、ＬＥＤ基板２４の長辺方向の全長に渡って、ＬＥＤ基板２４を挟持する構成としたが、これに限定されない。導光板５０と基板挟持部材とによってＬＥＤ基板２４の少なくとも一部が、板厚方向から挟持されている構成であればよい。
【００７５】
（５）上記実施形態では、光源としてＬＥＤ２２を例示したが、これに限定されず、ＬＥＤ以外の光源を適用可能である。また、ＬＥＤ基板２４に実装されるＬＥＤ２２の実装数は適宜変更可能である。
【００７６】
（６）上記した実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能である。また、カラー表示する液晶表示装置に限定されず、白黒表示する液晶表示装置にも適用可能である。
【００７７】
（７）上記した実施形態では、表示パネルとして液晶パネルを用いた液晶表示装置を例示したが、他の種類の表示パネルを用いた表示装置にも適用可能である。
【００７８】
（８）上記した実施形態では、チューナーを備えたテレビ受信装置を例示したが、チューナーを備えない表示装置にも適用可能である。
【符号の説明】
【００７９】
１０，１１０…液晶表示装置（表示装置）、１２…液晶パネル（表示パネル）、１６…フロントシャーシ（基板挟持部材）、２２，１２２…ＬＥＤ（発光ダイオード、光源）、２４，１２４…ＬＥＤ基板（基板）、３０…光反射部、３４，１３４…バックライト装置（照明装置）、５０，１５０…導光板、５０Ａ，１５０Ａ…光出射面、５０Ｂ…底面、５０Ｄ，１５０Ｄ…光入射面、１３２…バックライトシャーシ（基板挟持部材）、ＴＶ…テレビ受信装置
【図１】
2012028077.tif 000003
【図２】
2012028077.tif 000004
【図３】
2012028077.tif 000005
【図４】
2012028077.tif 000006
【図５】
2012028077.tif 000007
【図６】
2012028077.tif 000008